(57)【要約】  一連の医用画像を連続的に切り替え表示して読影する際の操作性を向上させる。  本発明に係るクライアント端末２０によれば、選択されたシリーズ画像が所定枚数間隔毎に画像管理サーバ１０から取得され第１の画像メモリ領域２５１に格納される。また、選択されたシリーズ画像の医用画像が表示されている場合に、当該表示されている医用画像に対して画像番号が前後に位置する医用画像が画像管理サーバ１０から取得され第２の画像メモリ領域２５２に格納される。表示要求された医用画像が第２の画像メモリ領域２５２に格納されている場合、該当する医用画像が第２の画像メモリ領域２５２から読み出されて表示部２３に表示され、格納されていない場合、第１の画像メモリ領域２５１に格納されている医用画像のうち表示されている医用画像に対して画像番号が要求された医用画像の方向において直近の医用画像が読み出され表示部２３に表示される。
2009063904.tif 000002
【特許請求の範囲】
【請求項１】
画像番号が付帯された一連の医用画像群を記憶する画像管理装置から医用画像を取得し、この取得した医用画像を内部のメモリに格納し、当該メモリから医用画像を読み出して表示手段に表示する医用画像表示装置において、
前記一連の医用画像群を所定枚数間隔で前記画像管理装置から取得し、得られた間引き画像を前記メモリに格納させる第１の画像取得手段と、
前記表示手段に表示されている医用画像に対して画像番号が前後に位置する複数枚の医用画像を前記画像管理装置から取得し、得られた前後画像を前記メモリに格納させる第２の画像取得手段と、
前記表示手段に表示されている医用画像より画像番号が一つ前に位置する医用画像又は一つ後に位置する医用画像を選択的に表示要求するための操作手段と、
前記表示要求された医用画像が前記メモリに格納された前後画像に存在する場合に、当該医用画像を前記メモリから読み出して前記表示手段に表示させ、前記表示要求された医用画像が前記メモリに格納された前後画像に存在しない場合に、前記メモリに格納されている間引き画像のうち、前記表示されている医用画像に対して、画像番号が前記要求された医用画像の位置する方向において直近の画像を読み出して前記表示手段に表示させる表示制御手段と、
を備える医用画像表示装置。
【請求項２】
前記第２の画像取得手段により取得した前後画像を前記メモリに格納する場合の当該メモリでの使用可能量を設定するための設定手段を備え、
前記第２の画像取得手段は、前記前後画像を前記設定手段により設定された使用可能量の範囲内で取得する請求項１に記載の医用画像表示装置。
【請求項３】
前記操作手段によって画像番号が一つ前に位置する医用画像の表示要求操作が連続してなされた場合に、前記第２の画像取得手段により取得され前記メモリに格納される前後画像のうち、前記表示手段に表示されている医用画像より画像番号が前に位置する医用画像が占める割合を増加させ、前記操作手段により画像番号が一つ後に位置する医用画像の表示要求操作が連続してなされた場合に、前記第２の画像取得手段により取得され前記メモリに格納される前後画像のうち、前記表示手段に表示されている医用画像より画像番号が後に位置する医用画像が占める割合を増加させる前後割合調整手段を更に備える請求項２に記載の医用画像表示装置。
【請求項４】
前記第１の画像取得手段は、前記一連の医用画像群の全体の画像枚数に応じて前記画像の取得間隔を決定し、前記決定された間隔毎の間引き画像を取得する請求項１〜３の何れか一項に記載の医用画像表示装置。
【請求項５】
画像番号が付帯された一連の医用画像群を記憶する画像管理装置から医用画像を取得し、この取得した医用画像を内部のメモリに格納し、当該メモリから医用画像を読み出して表示手段に表示する医用画像表示装置における表示制御方法であって、
前記一連の医用画像群を所定枚数間隔で前記画像管理装置から取得し、得られた間引き画像を前記メモリに格納させる第１の画像取得工程と、
前記表示手段に表示されている医用画像に対して画像番号が前後に位置する複数枚の医用画像を前記画像管理装置から取得し、得られた前後画像を前記メモリに格納させる第２の画像取得工程と、
前記表示手段に表示されている医用画像より画像番号が一つ前に位置する医用画像又は一つ後に位置する医用画像を操作手段により選択的に表示要求する表示要求工程と、
前記表示要求された医用画像が前記メモリに格納された前後画像に存在する場合に、当該医用画像を前記メモリから読み出して前記表示手段に表示させ、前記表示要求された医用画像が前記メモリに格納された前後画像に存在しない場合に、前記メモリに格納されている間引き画像のうち、前記表示されている医用画像に対して、画像番号が前記要求された医用画像の位置する方向において直近の画像を読み出して前記表示手段に表示させる表示制御工程と、
を含む表示制御方法。
【請求項６】
前記第２の画像取得工程により取得した前後画像を前記メモリに格納する場合の当該メモリでの使用可能量を設定する設定工程を含み、
前記第２の画像取得工程は、前記前後画像を前記設定工程により設定された使用可能量の範囲内で取得する請求項５に記載の表示制御方法。
【請求項７】
前記操作手段によって画像番号が一つ前に位置する医用画像の表示要求操作が連続してなされた場合に、前記第２の画像取得工程により取得され前記メモリに格納される前後画像のうち、前記表示手段に表示されている医用画像より画像番号が前に位置する医用画像が占める割合を増加させ、前記操作手段により画像番号が一つ後に位置する医用画像の表示要求操作が連続してなされた場合に、前記第２の画像取得工程により取得され前記メモリに格納される前後画像のうち、前記表示手段に表示されている医用画像より画像番号が後に位置する医用画像が占める割合を増加させる前後割合調整工程を更に含む請求項６に記載の表示制御方法。
【請求項８】
前記第１の画像取得工程は、前記一連の医用画像群の全体の画像枚数に応じて前記画像の取得間隔を決定し、前記決定された間隔毎の間引き画像を取得する請求項５〜７の何れか一項に記載の表示制御方法。
【発明の詳細な説明】
【技術分野】
【０００１】
本発明は、医用画像表示装置及び表示制御方法に関する。
【背景技術】
【０００２】
医療の分野では、患者を撮影した医用画像のデジタル化が実現されている。デジタル化は、ＣＲ（Computed Radiography）装置、ＣＴ（Computed Tomography）装置、ＭＲＩ（Magnetic Resonance Imaging）装置等の画像生成装置、カセッテ読み取り装置等の各種モダリティにより行われる。デジタル化された医用画像は、患者の患者情報や検査情報等の付帯情報とともに管理サーバにより一元的に管理される。具体的には、医用画像とＤＩＣＯＭ（Digital Imaging and Communications in Medicine）規格に適合するＤＩＣＯＭ基本情報とが管理サーバのデータベースに登録され、管理される医用画像管理システム（以下、ＰＡＣＳ（Picture Archiving and Communication System）という。）が用いられている。【０００３】
ＰＡＣＳの管理サーバで管理される医用画像は、クライアント端末のモニタに表示され医師の読影に供される。一般的に、クライアント端末では、医師の操作により表示要求された医用画像を通信ネットワークを介して管理サーバから取得し、ローカルメモリに格納した上で、ローカルメモリから画像を読み込むといった一連の処理を行ってモニタに医用画像を表示している。【０００４】
しかしながら、医用画像を表示する際に、順次上記のような一連の処理を行っていては、医師が表示要求を出してからモニタ上で診断を行うまでにタイムロスが発生し、読影の操作性が悪くなる。【０００５】
そこで、医用画像の表示を高速化するための技術として、例えば、特許文献１には、予め読影者が一読影に必要な複数枚の医療画像とその表示順序を画像グループとして設定しておき、読影時には、表示対象として選択されたグループの最初の画像の読み出し・階調変換・フレームメモリへの格納・表示と並行して、次に表示する医療画像の読み出し・階調変換・フレームメモリへの格納をしておくことで、次の画像表示を高速に行うことを可能とする画像読影装置が記載されている。【０００６】
また、特許文献２には、選択された受診者情報に関連する画像情報の一覧のなかから選択された画像情報に含まれる一連の診断画像を画像蓄積部から読み出して予めキャッシュメモリに格納しておくことによって、次の診断画像を高速に表示できるようにした医用画像表示装置が記載されている。
【特許文献１】特開２０００−２９３５２８号公報
【特許文献２】特開２００４−７３６８０号公報
【発明の開示】
【発明が解決しようとする課題】
【０００７】
ところで、近年普及しているＭＤＣＴ（Multi-Detector CT）などでは、一度の撮影で２０００枚以上の医用画像を生成する。通常、このような一連の医用画像群の読影において、医師は、まず全体を把握するために１枚あたりにかける読影時間を短くし、連続して表示画像の切り替え操作をして次々に画像を表示していく。しかし、特許文献１に記載の技術では、次画像しかクライアント側のフレームメモリに格納されていないため、上述の、連続して画像を切り替えていくような読影方法では待ち時間が生じてしまうこととなる。  【０００８】
一方、特許文献２においては、読影対象の診断画像を予め全てキャッシュメモリに格納しており、読影対象の画像枚数が数十枚程度であればＰＡＣＳに適用しても問題なく運用できると考えられる。しかし、ＭＤＣＴで一度の撮影で生成される医用画像は、１枚あたり約０．５ＭＢの画像が２０００枚程度にも達し、医用画像を保持するだけで１ＧＢ以上のメモリ容量を消費することになる。これでは、医用画像表示装置のキャッシュメモリが圧迫され、他のアプリケーションが動かなくなる等の悪影響を及ぼす可能性がある。【０００９】
更に、ＭＤＣＴで撮影された医用画像のように一連の大量の医用画像を読影する場合、医師は、目的とする医用画像に到達するまで何百枚、何千枚も画像の切り替え操作を行わなければならず、操作に非常に負担がかかり、ストレスにつながる大きな要因となっている。【００１０】
本発明の課題は、一連の医用画像を連続的に切り替え表示して読影する際の操作性を向上させることである。
【課題を解決するための手段】
【００１１】
上記課題を解決するため、本発明の第１の側面によると、
画像番号が付帯された一連の医用画像群を記憶する画像管理装置から医用画像を取得し、この取得した医用画像を内部のメモリに格納し、当該メモリから医用画像を読み出して表示手段に表示する医用画像表示装置において、
前記一連の医用画像群を所定枚数間隔で前記画像管理装置から取得し、得られた間引き画像を前記メモリに格納させる第１の画像取得手段と、
前記表示手段に表示されている医用画像に対して画像番号が前後に位置する複数枚の医用画像を前記画像管理装置から取得し、得られた前後画像を前記メモリに格納させる第２の画像取得手段と、
前記表示手段に表示されている医用画像より画像番号が一つ前に位置する医用画像又は一つ後に位置する医用画像を選択的に表示要求するための操作手段と、
前記表示要求された医用画像が前記メモリに格納された前後画像に存在する場合に、当該医用画像を前記メモリから読み出して前記表示手段に表示させ、前記表示要求された医用画像が前記メモリに格納された前後画像に存在しない場合に、前記メモリに格納されている間引き画像のうち、前記表示されている医用画像に対して、画像番号が前記要求された医用画像の位置する方向において直近の画像を読み出して前記表示手段に表示させる表示制御手段と、
を備える。【００１２】
前記第２の画像取得手段により取得した前後画像を前記メモリに格納する場合の当該メモリでの使用可能量を設定するための設定手段を備え、
前記第２の画像取得手段は、前記前後画像を前記設定手段により設定された使用可能量の範囲内で取得することが好ましい。【００１３】
前記操作手段によって画像番号が一つ前に位置する医用画像の表示要求操作が連続してなされた場合に、前記第２の画像取得手段により取得され前記メモリに格納される前後画像のうち、前記表示手段に表示されている医用画像より画像番号が前に位置する医用画像が占める割合を増加させ、前記操作手段により画像番号が一つ後に位置する医用画像の表示要求操作が連続してなされた場合に、前記第２の画像取得手段により取得され前記メモリに格納される前後画像のうち、前記表示手段に表示されている医用画像より画像番号が後に位置する医用画像が占める割合を増加させる前後割合調整手段を更に備えることが好ましい。  【００１４】
前記第１の画像取得手段は、前記一連の医用画像群の全体の画像枚数に応じて前記画像の取得間隔を決定し、前記決定された間隔毎の間引き画像を取得することが好ましい。【００１５】
本発明の第２の側面によると、
画像番号が付帯された一連の医用画像群を記憶する画像管理装置から医用画像を取得し、この取得した医用画像を内部のメモリに格納し、当該メモリから医用画像を読み出して表示手段に表示する医用画像表示装置における表示制御方法であって、
前記一連の医用画像群を所定枚数間隔で前記画像管理装置から取得し、得られた間引き画像を前記メモリに格納させる第１の画像取得工程と、
前記表示手段に表示されている医用画像に対して画像番号が前後に位置する複数枚の医用画像を前記画像管理装置から取得し、得られた前後画像を前記メモリに格納させる第２の画像取得工程と、
前記表示手段に表示されている医用画像より画像番号が一つ前に位置する医用画像又は一つ後に位置する医用画像を操作手段により選択的に表示要求する表示要求工程と、
前記表示要求された医用画像が前記メモリに格納された前後画像に存在する場合に、当該医用画像を前記メモリから読み出して前記表示手段に表示させ、前記表示要求された医用画像が前記メモリに格納された前後画像に存在しない場合に、前記メモリに格納されている間引き画像のうち、前記表示されている医用画像に対して、画像番号が前記要求された医用画像の位置する方向において直近の画像を読み出して前記表示手段に表示させる表示制御工程と、
を含む。【００１６】
前記第２の画像取得工程により取得した前後画像を前記メモリに格納する場合の当該メモリでの使用可能量を設定する設定工程を含み、
前記第２の画像取得工程は、前記前後画像を前記設定工程により設定された使用可能量の範囲内で取得することが好ましい。【００１７】
前記操作手段によって画像番号が一つ前に位置する医用画像の表示要求操作が連続してなされた場合に、前記第２の画像取得工程により取得され前記メモリに格納される前後画像のうち、前記表示手段に表示されている医用画像より画像番号が前に位置する医用画像が占める割合を増加させ、前記操作手段により画像番号が一つ後に位置する医用画像の表示要求操作が連続してなされた場合に、前記第２の画像取得工程により取得され前記メモリに格納される前後画像のうち、前記表示手段に表示されている医用画像より画像番号が後に位置する医用画像が占める割合を増加させる前後割合調整工程を更に含むことが好ましい。【００１８】
前記第１の画像取得工程は、前記一連の医用画像群の全体の画像枚数に応じて前記画像の取得間隔を決定し、前記決定された間隔毎の間引き画像を取得することが好ましい。
【発明の効果】
【００１９】
本発明によれば、表示されている医用画像に対して画像番号が前後に位置する複数枚の医用画像を画像管理装置から先行して取得しておくので、一連の医用画像群を画像番号順に連続的に切り替え表示して読影していくような場合に、表示要求後に画像管理サーバから画像を取得する時間が省略され、要求された医用画像の表示を高速化することが可能となり、読影時の操作性を向上させることができる。また、先行して取得する画像は表示されている医用画像に対して画像番号が前後に位置する医用画像であるので、一連の医用画像群の全ての画像を予め取得しておく場合とは異なり、メモリに高負荷をかけることなく操作性の向上を実現することができる。また、操作手段の表示要求が前後画像の取得より早い場合は、間引き画像の中から画像番号が表示要求された方向において直近の医用画像が表示されるので、操作者が表示要求の速度を調整することにより、目的とする画像により高速に到達することが可能となり、操作者の操作負担を低減することができる。【００２０】
また、第２の画像取得手段（第２の画像取得工程）により取得した前後画像をメモリに格納する場合の当該メモリでの使用可能量を設定するための設定手段（設定工程）を有することとし、第２の画像取得手段（第２の画像取得工程）においては、前後画像を設定手段（設定工程）により設定された使用可能量の範囲内で取得するようにすることで、メモリの使用可能量を必要最小限にとどめ、メモリに高負荷をかけずに効率的に使用して操作性の向上を実現することが可能となる。【００２１】
また、操作手段によって画像番号が一つ前に位置する医用画像の表示要求操作が連続してなされた場合に、第２の画像取得手段（第２の画像取得工程）により取得され前記メモリに格納される前後画像のうち、表示手段に表示されている医用画像より画像番号が前に位置する医用画像が占める割合を増加させ、操作手段により画像番号が一つ後に位置する医用画像の表示要求操作が連続してなされた場合に、第２の画像取得手段（第２の画像取得工程）により取得されメモリに格納される前後画像のうち、表示手段に表示されている医用画像より画像番号が後に位置する医用画像が占める割合を増加させる前後割合調整手段（前後割合調整工程）を更に有することで、操作者が表示されている医用画像に対して画像番号が一つ前に位置する医用画像を連続して次々に表示要求したり、表示されている医用画像に対して画像番号が一つ後に位置する医用画像を連続して次々に表示要求したりしても、遅滞なく選択された画像を表示することが可能となる。【００２２】
また、第１の画像取得手段（第１の画像取得工程）においては、画像管理装置から取得する一連の医用画像群の全体の画像枚数に応じて画像の取得間隔を決定し、決定された間隔毎の間引き画像を取得することで、一連の医用画像群の画像枚数に応じた間隔で間引き画像を取得することが可能となる。
【図面の簡単な説明】
【００２３】
【図１】本発明の実施の形態における医用画像管理システムの構成例を示す図である。
【図２】図１に示すクライアント端末の機能的構成を示すブロック図である。
【図３Ａ】図２のＣＰＵにより実行されるシリーズ画像表示処理を示すフローチャートである。
【図３Ｂ】図２のＣＰＵにより実行されるシリーズ画像表示処理を示すフローチャートである。
【図４】図２の第１の画像取得処理を説明するための図である。
【図５Ａ】前後割合調整処理の実行前の前画像Ｆ１〜Ｆｎと後画像Ｂ１〜Ｂｍの一例を示す図である。
【図５Ｂ】表示要求によって前方向に連続した表示要求がなされた場合の前画像Ｆ１〜Ｆｎと後画像Ｂ１〜Ｂｍの一例を示す図である。
【図５Ｃ】表示要求によって後方向に連続した表示要求がなされた場合の前画像Ｆ１〜Ｆｎと後画像Ｂ１〜Ｂｍの一例を示す図である。
【発明を実施するための最良の形態】
【００２４】
以下、図を参照して本発明の実施の形態を詳細に説明する。ただし、発明の範囲は、図示例に限定されない。【００２５】
〔医用画像管理システム１００の構成〕
図１に、医用画像管理システム１００のシステム構成を示す。
医用画像管理システム１００は、病院内に設置されるシステムである。図１に示すように、医用画像管理システム１００は、画像管理装置としての画像管理サーバ１０、医用画像表示装置としてのクライアント端末２０から構成され、各装置は、ＬＡＮ（Local Area Network）やＷＡＮ（Wide Area Network）等の通信回線からなる通信ネットワークＮを介してデータ送受信可能に接続されている。医用画像管理システム１００を構成する各装置は、ＤＩＣＯＭ（Digital Image and Communications in Medicine）規格に準じており、各装置間の通信は、ＤＩＣＯＭに則って行われる。なお、各装置の台数は、特に限定されない。【００２６】
画像管理サーバ１０は、ＣＴ、ＭＲＩ、ＣＲ等の各種モダリティにより生成された医用画像のデータ、及び医用画像に関する付帯情報を蓄積記憶・管理するコンピュータ装置である。具体的に、画像管理サーバ１０は、ハードディスク等により構成される記憶装置１５を有する。この記憶装置１５は、医用画像のデータを格納する医用画像ＤＢ１５１、医用画像ＤＢ（Data Base）１５１に記憶されている医用画像に関する付帯情報を検索可能に格納する付帯情報ＤＢ１５２を記憶している。【００２７】
医用画像ＤＢ１５１において記憶される医用画像は、ＤＩＣＯＭ規格に則ったＤＩＣＯＭファイル形式で保存されている。ＤＩＣＯＭファイルは、画像部とヘッダ部とから構成される。画像部には医用画像の実データ、ヘッダ部に当該医用画像に関する付帯情報が書き込まれている。【００２８】
付帯情報は、例えば、患者情報、検査情報、シリーズ情報、画像詳細情報を含んで構成されている。【００２９】
患者情報は、患者を識別するための患者識別情報（例えば、患者ＩＤ）、患者の名前、性別、生年月日等の医用画像の患者に関する各種情報が含まれる。
検査情報は、検査を識別するための検査識別情報（例えば、検査ＩＤ）、検査日付、担当医師等の検査に関する各種情報とが含まれる。【００３０】
シリーズ情報は、同一検査内においてシリーズを識別するためのシリーズ番号、シリーズに含まれる医用画像を生成したモダリティの種類、検査部位等のシリーズに関する各種情報が含まれる。
ここで、シリーズとは、互いに関連する一連の医用画像のまとまりを指す。例えば、ＣＴ装置では胸部から腹部にかけて等、ある範囲にわたる断層を撮影するため、１回の撮影で１００枚〜数千枚単位の複数の医用画像（断層画像）を生成することとなる。このような場合、同一撮影で得られた各断層画像を１つのシリーズに属するものとして取り扱う。１つのシリーズに属する一連の医用画像群をシリーズ画像と呼ぶ。同一シリーズに属する全ての医用画像には、同一のシリーズ情報が付帯されている。【００３１】
画像詳細情報は、医用画像を識別するための画像識別情報（例えば、画像ＩＤ）、医用画像が生成された際に付与された画像番号、画像生成時刻、医用画像の格納場所を示すファイルパス名等の画像に関する各種情報が含まれる。
画像番号は、同一シリーズとして生成した医用画像の並び順を示す番号である。医用画像の並び順とは、例えば、医用画像の生成順（撮影順）である。例えば、ＣＴ装置で１回の撮影で胸部から腹部に向かって２０００枚の医用画像が生成された場合、一連の医用画像のそれぞれに、生成順に１〜２０００の画像番号が付される。【００３２】
画像管理サーバ１０は、通信ネットワークＮを介してクライアント端末２０からの検索要求に応じて、クライアント端末２０から送信される条件に合致した医用画像を付帯情報ＤＢ１５２により検索して、条件に合致した医用画像のリストデータをクライアント端末２０に送信する。また、画像管理サーバ１０は、クライアント端末２０から或るシリーズに含まれる医用画像の総枚数の問い合わせが受信されると、付帯情報ＤＢ１５２を検索して指定されたシリーズに含まれる医用画像の総枚数をカウントし、結果をクライアント端末２０に送信する。また、クライアント端末２０から取得要求のあった医用画像のデータを医用画像ＤＢ１５１から読み出してクライアント端末２０に送信する。【００３３】
クライアント端末２０は、画像管理サーバ１０に蓄積記憶されている医用画像を取得して、医師の読影用に表示するためのＰＣ（Personal Computer）等の端末装置である。【００３４】
〔クライアント端末２０の構成〕
図２に、クライアント端末２０の機能的構成を示す。
図２に示すように、クライアント端末２０は、ＣＰＵ２１、操作部２２、表示部２３、通信部２４、ＲＡＭ２５、記憶部２６等を備えて構成され、各部はバス２７により接続されている。【００３５】
ＣＰＵ２１は、記憶部２６に記憶されているシステムプログラムや各種処理プログラムを読み出し、ＲＡＭ２５内に形成されたワークエリアに展開し、該プログラムに従って各部を制御する。【００３６】
操作部２２は、カーソルキー、数字入力キー、及び各種機能キー等を備えたキーボードと、マウス等のポインティングデバイスを備えて構成され、キーボードに対するキー操作やマウス操作により入力された指示信号をＣＰＵ２１に出力する。【００３７】
表示部２３は、ＬＣＤ（Liquid Crystal Display）やＣＲＴ(Cathode Ray Tube)等のモニタにより構成され、ＣＰＵ２１から入力される表示信号の指示に従って、各種画面や医用画像等を表示する。【００３８】
通信部２４は、ＬＡＮアダプタ、ルータ、ＴＡ（Terminal Adapter）等を備え、通信ネットワークＮに接続された各装置とデータの送受信を行う。【００３９】
ＲＡＭ２５は、ＣＰＵ２１により実行制御される各種処理において、記憶部２６から読み出された各種プログラム、入力若しくは出力データ、及びパラメータ等を一時的に格納するワークエリアを形成する。【００４０】
また、ＲＡＭ２５は、後述する第１の画像取得処理（図３Ａ参照）において画像管理サーバ１０から取得される医用画像（間引き画像）のデータを格納する第１の画像メモリ領域２５１と、後述する第２の画像取得処理（図３Ｂ参照）において画像管理サーバ１０から取得される医用画像（前後画像）のデータを格納する第２の画像メモリ領域２５２と、を有している。ＲＡＭ２５のうち第２の画像メモリ領域２５２に使用可能なメモリ容量は、設定手段としての操作部２２を介して設定することが可能である。【００４１】
例えば、表示部２３に初期表示されるメニュー画面から操作部２２により画像メモリ容量の設定が選択されると、表示部２３に設定画面が表示される。設定画面は、図示しないが、第２の画像メモリ領域２５２として使用可能なメモリ容量の数値を入力するための入力フィールド及び入力フィールドに入力された数値での設定指示を入力するための設定釦等を有する。この設定画面から操作部２２により第２の画像メモリ領域２５２として使用可能なメモリ容量の数値が入力され、設定釦が押下されると、入力された数値が第２の画像メモリ領域２５２として使用可能なメモリ容量として設定され、記憶部２６に記憶される。【００４２】
記憶部２６は、ＨＤＤ（Hard Disc）や半導体の不揮発性メモリ等により構成される。
記憶部２６は、ＣＰＵ２１で実行されるシステムプログラムや、シリーズ画像表示処理プログラムを始めとする各種プログラム、これらのプログラムの実行に必要なデータ、第２の画像メモリ領域２５２として使用可能なメモリ容量を始めとする各種設定情報等を記憶する。各種プログラムは、コンピュータ読み取り可能なプログラムコードの形態で記憶部２６に格納され、ＣＰＵ２１は、当該プログラムコードに従った動作を逐次実行する。【００４３】
〔クライアント端末２０の動作〕
次に、本実施の形態の動作について説明する。【００４４】
クライアント端末２０において、画像管理サーバ１０に格納されているシリーズ画像を取得して表示する処理は、以下のとおりである。【００４５】
まず、医師等の操作者により、操作部２２を介して表示部２３の検索画面上（図示せず）で医用画像の検索条件及び検索要求が入力される。例えば、検索条件としては、検査日付、検査ＩＤ、患者ＩＤや、これらの組み合わせ等を入力することができる。操作部２２から医用画像の検索条件が入力されると、ＣＰＵ２１により、入力された検索条件及び検索要求が通信部２４を介して画像管理サーバ１０に送信され、画像管理サーバ１０から検索条件に合致した医用画像のリストデータが取得される。リストデータが取得されると、ＣＰＵ２１により、取得されたリストデータに基づく画像選択画面（図示せず）が表示部２３に表示される。画像選択画面は、例えば、検査ＩＤ、患者ＩＤ、患者氏名、モダリディ種、検査部位・方向、シリーズ番号等の項目を有するリストが検査単位（シリーズを含むときはシリーズ単位）で表示され、表示部２３への表示対象とする医用画像を操作部２２を介して検査単位又はシリーズ単位で選択可能な構成となっている。【００４６】
表示部２３に表示された画像選択画面からシリーズ（シリーズ画像）が選択されると、ＣＰＵ２１により、図３Ａ〜図３Ｂに示すシリーズ画像表示処理が実行され、操作部２２により入力される表示要求に応じて、選択されたシリーズ画像を構成する医用画像が切り替え表示される。【００４７】
ここで、医師はシリーズ画像を読影する場合、まず、一連の医用画像を一枚あたりにかける読影時間を短くして次々に表示し、全体に一通り目を通して病変の位置を特定する。このとき、医師は、一連の医用画像を画像番号が大きい方向（後方向）に向かって連続的に表示要求することとなる。ただし、病変と思われる陰影が見られる箇所においては、画像番号が小さい方向（前方向）に数枚遡って表示要求を行い、詳しく観察することもある。【００４８】
そこで、クライアント端末２０においては、シリーズ画像を構成する或る医用画像が表示部２３に表示されている状態において、操作部２２により、表示されている医用画像に対して次に表示させる医用画像の画像番号が位置する方向（表示されている医用画像に対して「前」又は「後」）を選択する操作を行うことで、表示されている医用画像に対して画像番号が一つ前に位置する医用画像の表示要求又は一つ後に位置する医用画像の表示要求を選択的に入力できるようになっている。この選択操作は、例えば、操作部２２のマウスのホイール操作（例えば、上に回転させれば「前」、下に回転させれば「後」等）、キーボードの矢印キーの押下操作（例えば、上（右）矢印キーを押下させれば「前」、下（左）矢印キーを押下させれば「後」等）、表示部２３の画面上に表示されたスクロールバーの上下操作等により行うことができる。操作部２２により選択された方向は、ＲＡＭ２５のワークエリアに記憶される。【００４９】
なお、「表示されている医用画像より画像番号が一つ前に位置する医用画像」とは、一連の医用画像のうち表示されている医用画像の画像番号より一つ小さい画像番号が付帯された医用画像を指す。例えば、表示されている医用画像の画像番号が３である場合、画像番号２が付帯された医用画像を指す。また、「表示されている医用画像より画像番号が一つ後に位置する医用画像」とは、一連の医用画像のうち表示されている医用画像の画像番号より一つ大きい画像番号が付帯された医用画像を指す。例えば、表示されている医用画像の画像番号が３である場合、画像番号４が付帯された医用画像を指す。【００５０】
（シリーズ画像表示処理）
以下、図３Ａ〜図３Ｂを参照して、ＣＰＵ２１により実行されるシリーズ画像表示処理について説明する。当該処理は、操作部２２により表示対象の医用画像としてシリーズ画像が選択された際に、ＣＰＵ２１と記憶部２６に記憶されているシリーズ画像表示処理プログラムとの協働によるソフトウエア処理により実現される。【００５１】
まず、ステップＳ１〜Ｓ３において、第１の画像取得処理が実行される。
第１の画像取得処理においては、まず、画像管理サーバ１０に選択されたシリーズ画像の総画像枚数の問い合わせが送信され、選択されたシリーズ画像の総画像枚数が取得される（ステップＳ１）。【００５２】
次いで、取得した総画像枚数に基づいて、画像管理サーバ１０からのシリーズ画像の取得間隔が決定される（ステップＳ２）。ここで、第１の画像取得処理では、図４に示すように、画像番号順に並べたシリーズ画像を所定枚数間隔（図４中Ａで示す）で取得し、得られた間引き画像を第１の画像メモリ領域２５１に格納する。シリーズ画像の取得間隔とは、上記の所定枚数間隔を指す。【００５３】
次いで、決定した取得間隔でシリーズ画像が画像管理サーバ１０から取得されて第１の画像メモリ領域２５１に格納され（ステップＳ３）、処理はステップＳ４に移行する。ここで、ステップＳ３において画像管理サーバ１０から取得され、得られた医用画像を間引き画像という。【００５４】
ステップＳ４においては、第１の画像メモリ領域２５１に格納された画像番号の最も小さい画像が読み出され、表示部２３に表示される。そして、操作部２２から次の表示要求が入力されたか否かが判断され、表示要求が入力されたと判断されると（ステップＳ５；ＹＥＳ）、処理はステップＳ６に移行し、表示要求が入力されていないと判断されると（ステップＳ５；ＮＯ）、処理はステップＳ１７に移行する。【００５５】
ステップＳ６〜Ｓ７においては、入力された表示要求に基づいて、後段の第２の画像取得処理において第２の画像メモリ領域２５２に格納される前画像と後画像の割合を調整する前後割合調整処理が実行される。第２の画像取得処理は、図５Ａ〜図５Ｃに示すように、シリーズを構成する医用画像群のうち、表示されている医用画像（表示画像Ｃとする）に対して画像番号が前後に位置する複数枚の医用画像（前後画像）を表示要求される前に先行して画像管理サーバ１０から取得して予め第２の画像メモリ領域２５２に格納しておく処理である。ここで、「シリーズ画像を構成する一連の医用画像群のうち、表示されている医用画像に対して画像番号が前後に位置する複数枚の医用画像」とは、即ち、シリーズ画像を構成する一連の医用画像群を画像番号順に並べたときに、表示されている医用画像の前後に位置する複数枚の医用画像を指し、図５Ａ〜図５Ｃに示す前画像（Ｆ１〜Ｆｎで示す）と後画像（Ｂ１〜Ｂｍ）により構成される。前画像は、第２の画像メモリ領域２５２に先行して格納される医用画像のうち、その画像番号が表示画像Ｃの画像番号より前に位置する（即ち、画像番号（Ｎｏ．）が表示画像Ｃより小さい）医用画像を指し、後画像は、その画像番号が表示画像Ｃの画像番号より後に位置する（即ち、画像番号が表示画像Ｃより大きい）医用画像を指す。【００５６】
前後割合調整処理においては、まず、表示要求が入力されると、同方向に連続した表示要求であるか否かが判断される（ステップＳ６）。具体的には、今回の表示要求時に選択された方向（「前」又は「後」）が前回の表示要求時に選択された方向（「前」又は「後」）と同じ方向であるか否かが判断される。同方向に連続した表示要求ではないと判断されると（ステップＳ６；ＮＯ）、処理はステップＳ８に移行する。
一方、同方向に連続した表示要求であると判断されると（ステップＳ６；ＹＥＳ）、第２の画像メモリ領域２５２に格納する医用画像のうち、連続して選択された方向の医用画像が占める割合が増加されて前画像と後画像の割合がＲＡＭ２５のワークエリアに記憶される（ステップＳ７）。具体的に、操作部２２により前方向に連続した表示要求が入力された場合、即ち、表示部２３に表示されている医用画像より画像番号が一つ前に位置する医用画像の表示要求が連続してなされた場合、第２の画像取得処理において第２の画像メモリ領域２５２に格納される医用画像のうち、表示部２３に表示されている医用画像より画像番号が前に位置する医用画像（即ち、前画像）が占める割合が増加されて前画像と後画像の割合がＲＡＭ２５のワークエリアに記憶される。操作部２２により後方向に連続した表示要求が入力された場合、即ち、表示部２３に表示されている医用画像より画像番号が一つ後に位置する医用画像の表示要求が連続してなされた場合、第２の画像取得処理において第２の画像メモリ領域２５２に格納される医用画像のうち、表示部２３に表示されている医用画像より画像番号が後に位置する医用画像（即ち、後画像）が占める割合が増加されて前画像と後画像の割合がＲＡＭ２５のワークエリアに記憶される。そして、処理はステップＳ８に移行する。【００５７】
例えば、図５Ａに示すように、前後割合調整処理の実行前の前画像Ｆ１〜Ｆｎと後画像Ｂ１〜Ｂｍの割合が等しい状態であった場合、今回の表示要求によって前方向に連続した表示要求がなされたのであれば、前後割合調整処理の実行により、図５Ｂに示すように前画像Ｆ１〜Ｆｎの第２の画像メモリ領域２５２に占める割合が増加される。また、今回の表示要求によって後方向に連続した表示要求がなされたのであれば、前後割合調整処理の実行により、図５Ｃに示すように後画像Ｂ１〜Ｂｎの第２の画像メモリ領域２５２に占める割合が増加される。なお、図５Ａ〜図５Ｃにおいて、ｎ＋ｍは、第２の画像メモリ領域２５２で使用可能なメモリ容量に対応する医用画像枚数である。【００５８】
次いで、ステップＳ８〜Ｓ１０において、表示制御処理が実行される。
表示制御処理においては、操作部２２の操作により表示要求された画像がＲＡＭ２５の第２の画像メモリ領域２５２に格納されている前後画像に存在するか否かが判断され、存在すると判断されると（ステップＳ８；ＹＥＳ）、表示要求された画像が第２の画像メモリ領域２５２から読み出されて表示部２３に表示され（ステップＳ９）、処理はステップＳ１１に移行する。【００５９】
一方、操作部２２の操作により表示要求された画像が第２の画像メモリ領域２５２に格納されている前後画像に存在しないと判断されると（ステップＳ８；ＮＯ）、第１の画像メモリ領域２５１に格納されている間引き画像のうち、現在表示されている医用画像に対して、画像番号が表示要求された医用画像が位置する方向において直近の医用画像が読み出され、表示部２３に表示され（ステップＳ１０）、処理はステップＳ１１に移行する。
具体的に、操作部２２により「前」方向が選択されることにより、表示部２３に表示されている医用画像より画像番号が一つ前に位置する医用画像の表示要求が入力された場合、現在表示されている医用画像に対し、画像番号が「前」方向（小さい方向）に位置する画像であって、現在表示されている医用画像に最も近い画像番号の画像が読み出されて表示される。操作部２２により「後」方向が選択されることにより、表示部２３に表示されている医用画像より画像番号が一つ後に位置する医用画像の表示要求が入力された場合、現在表示されている医用画像に対し、画像番号が「後」方向（大きい方向）に位置する画像であって、現在表示されている医用画像に最も近い画像番号の画像が読み出されて表示される。
例えば、現在表示されている画像が図４のＣ１である場合、操作部２２により「前」方向が選択された場合には、Ｄ１の画像が読み出されて表示され、「後」方向が選択された場合には、Ｄ２の画像が読み出されて表示される。【００６０】
ステップＳ１１においては、操作部２２により新たな表示要求が入力されたか否かが判断され、新たな表示要求が入力されたと判断されると（ステップＳ１１；ＹＥＳ）、処理はステップＳ６に戻る。新たな表示要求が入力されていないと判断されると（ステップＳ１１；ＮＯ）、ステップＳ１２〜Ｓ１６において第２の画像取得処理が実行される。【００６１】
第２の画像取得処理においては、まず、前後割合調整処理において決定された前画像と後画像の割合と、設定手段により設定された第２の画像メモリ領域２５２として使用可能なメモリ容量とに基づいて、先行して取得しておくべき医用画像（表示されている医用画像に対して画像番号が前後に位置する複数枚の医用画像）の画像番号が決定され、そのリスト（画像リストという）が生成される（ステップＳ１２）。即ち、図５Ａ〜図５Ｃにおける前画像Ｆ１〜Ｆｎに相当する医用画像の画像番号及び後画像Ｂ１〜Ｂｍに相当する医用画像の画像番号が決定される。【００６２】
次いで、第２の画像メモリ領域２５２に格納されている医用画像のうち、ステップＳ１２で決定された画像リストに該当しない医用画像（表示画像を除く）が第２の画像メモリ領域２５２から破棄（削除）される（ステップＳ１３）。また、画像リストに該当する医用画像であって、第２の画像メモリ領域２５２に未だ格納されていない医用画像のうちステップＳ９又は１０において表示された表示画像に画像番号が最も近い医用画像が画像管理サーバ１０から取得され、第２の画像メモリ領域２５２に格納される（ステップＳ１４）。【００６３】
次いで、操作部２２により新たな表示要求が入力されたか否かが判断され、新たな表示要求が入力されたと判断されると（ステップＳ１５；ＹＥＳ）、処理はステップＳ６に戻る。新たな表示要求が入力されていないと判断されると（ステップＳ１５；ＮＯ）、画像リストの全ての医用画像が第２の画像メモリ領域２５２に格納されたか否かが判断され、未だ格納されていないと判断されると（ステップＳ１６；ＮＯ）、処理はステップＳ１４に戻る。画像リストの全ての医用画像が第２の画像メモリ領域２５２に格納されたと判断されると（ステップＳ１６；ＹＥＳ）、操作部２２により当該シリーズ画像の表示を終了する指示が入力されたか否かが判断され、当該シリーズ画像の表示を終了する指示が入力されていないと判断されると（ステップＳ１７；ＮＯ）、処理はステップＳ５に戻る。当該シリーズ画像の表示を終了する指示が入力されたと判断されると（ステップＳ１７；ＹＥＳ）、第１の画像メモリ領域２５１及び第２の画像メモリ領域２５２に格納されている画像が破棄され（メモリが開放され）（ステップＳ１８）、本処理は終了する。【００６４】
以上説明したように、クライアント端末２０によれば、操作部２２により表示対象のシリーズ画像が選択されると、選択されたシリーズ画像が所定枚数間隔毎に画像管理サーバ１０から取得され、得られた間引き画像が第１の画像メモリ領域２５１に格納される。また、選択されたシリーズ画像の医用画像が表示部２３に表示されている場合に、当該表示されている医用画像に対して画像番号が前後に位置する複数枚の医用画像が画像管理サーバ１０から取得され、得られた前後画像が第２の画像メモリ領域２５２に格納される。選択されたシリーズ画像の医用画像が表示部２３に表示されている場合に操作部２２により次に表示する医用画像が表示要求されると、表示要求された医用画像が第２の画像メモリ領域２５２に格納されている前後画像に存在するか否かが判断され、存在する場合に、該当する医用画像が第２の画像メモリ領域２５２から読み出されて表示部２３に表示され、存在しない場合に、第１の画像メモリ領域２５１に格納されている間引き画像のうち表示されている医用画像に対して画像番号が要求された医用画像の方向において直近の医用画像が読み出され表示部２３に表示される。【００６５】
従って、表示された医用画像に対して画像番号が前後に位置する複数枚の医用画像が実際に表示要求される前に先行して取得され第２の画像メモリ領域２５２に格納されるので、例えば、医師がシリーズを構成する一連の画像に一通り目を通すため、画像番号順に次々に表示要求をして表示画像を切り替えていくような場合に、表示要求された医用画像が略第２の画像メモリ領域２５２に格納されていることとなり、画像管理サーバ１０から画像を取得する時間が省略され、要求された医用画像を高速に表示して読影時の操作性を向上させることが可能となる。また、先行して取得しておく画像は、表示された医用画像に対して画像番号が前後に位置する医用画像であるので、シリーズ画像を構成する全ての画像を予め取得しておく場合と異なり、メモリに高負荷をかけることなく効率的に使用して、要求された医用画像の表示の高速化を実現することが可能となる。【００６６】
また、クライアント端末２０によれば、操作者による表示要求の操作が前後画像の先行取得より高速であり、表示要求された画像が第２の画像メモリ領域２５２に格納されている前後画像に存在しない場合、第１の画像メモリ領域２５１に格納されている間引き画像のうち、表示されている医用画像に対し、画像番号が要求された医用画像の方向において直近の医用画像が読み出されて表示部２３に表示される。即ち、表示要求の操作速度に応じて、シリーズ画像の表示が１枚毎又は所定枚数間隔毎の何れかに切り替えられる。従って、医師等の操作者がシリーズ画像の全体を把握するためにシリーズ画像を構成する医用画像を次々に表示要求して切り替え表示するような場合に、表示要求のための操作速度を調整することで、目的とする画像により高速に到達することが可能となる。その結果、１枚１枚表示画像の切替操作を行う場合に比べ、操作者の操作負担を大幅に低減することが可能となる。【００６７】
また、シリーズ画像が選択された際に画像管理サーバ１０から取得される画像の取得間隔は、選択されたシリーズ画像の全体の画像枚数に応じて決定されるので、シリーズ画像の総枚数に応じた間隔で画像を取得することが可能となる。【００６８】
また、ＲＡＭ２５のうち第２の画像メモリ領域２５２に使用可能なメモリ容量は、設定手段としての操作部２２を介して設定することができるので、メモリの使用量を必要最小限にとどめ、ＲＡＭ２５に高負荷をかけずに効率的に使用することが可能となり、他のアプリケーションやシステムに影響を与えることなく医用画像の表示動作を行うことが可能となる。【００６９】
また、連続的に同方向（表示されている医用画像に対し画像番号が前方向又は後方向）の医用画像の表示が要求された場合に、先行して取得し第２の画像メモリ領域２５２に格納される医用画像のうち、連続して要求された方向の医用画像が占める割合を増加させるので、操作者が同方向に連続して次々に表示要求を行った場合にも遅滞なく要求された画像を表示することが可能となる。【００７０】
なお、上述した本実施の形態における記述は、本発明に係る好適な医用画像管理システムの一例であり、これに限定されるものではない。
例えば、上記実施の形態においては、ＲＡＭ２５において医用画像の検索をしやすくするため、間引き画像を格納するための領域と、前後画像を格納される領域とを分けることとして説明したが、ＲＡＭ２５の領域わけは必ずしも必要ではない。【００７１】
また、上記の説明では、本発明に係るプログラムのコンピュータ読み取り可能な媒体としてＨＤＤや半導体の不揮発性メモリ等を使用した例を開示したが、この例に限定されない。その他のコンピュータ読み取り可能な媒体として、ＣＤ-ＲＯＭ等の可搬型記録媒体を適用することが可能である。また、本発明に係るプログラムのデータを通信回線を介して提供する媒体として、キャリアウエーブ(搬送波)も適用される。【００７２】
その他、本実施の形態における医用画像管理システムの各構成要素の細部構成、及び細部動作に関しては、本発明の趣旨を逸脱することのない範囲で適宜変更可能であることは勿論である。【００７３】
なお、明細書、請求の範囲、図面及び要約を含む２００７年１１月１６日に出願された日本特許出願Ｎｏ．２００７−２９８１０４号の全ての開示は、そのまま本出願の一部に組み込まれる。
【産業上の利用可能性】
【００７４】
医療の分野において、医師による診断のために医用画像を表示する医用画像表示装置に利用可能性がある。
【符号の説明】
【００７５】
１００  医用画像管理システム
１０  画像管理サーバ
１５  記憶装置
１５１  医用画像ＤＢ
１５２  付帯情報ＤＢ
２０  クライアント端末
２１    ＣＰＵ
２２    操作部
２３    表示部
２４    通信部
２５    ＲＡＭ
２５１  第１の画像メモリ領域
２５２  第２の画像メモリ領域
２６    記憶部
２７    バス
【図１】
2009063904.tif 000003
【図２】
2009063904.tif 000004
【図３Ａ】
2009063904.tif 000005
【図３Ｂ】
2009063904.tif 000006
【図４】
2009063904.tif 000007
【図５Ａ】
2009063904.tif 000008
【図５Ｂ】
2009063904.tif 000009
【図５Ｃ】
2009063904.tif 000010
【国際調査報告】
2009063904.tif 000011
2009063904.tif 000012